(57)【要約】【課題】遊技機の効果音を聞き取るためにヘッドホン等がつながれるイヤホンジャックを悪用した不正行為に対する耐性を高めること。【解決手段】パチンコ機２０の外部接続端子基板４７に接続される送受信部６２と、送受信部６２（仲介基板）に接続されたイヤホンジャック２３とで構成され、パチンコ機２０から送出された音声信号が送受信部６２経由でイヤホンジャック２３に与えられる。イヤホンジャック２３に差し込んだヘッドホン等を用いてパチンコ機２０の効果音を聞くことができる。外部接続端子基板４７の入出力には一方向通信が採用されているため、イヤホンジャック２３又はこれにつながる信号線を悪用してパチンコ機２０（遊技機）に不正行為を仕掛けるのは難し。【選択図】図４
2011030838.tif 000002
【特許請求の範囲】
【請求項１】
遊技機設置島に配備されて遊技機の外部接続端子基板に接続される仲介基板と、
前記遊技機設置島に配備されて前記仲介基板に接続されたイヤホンジャックとからなり、
前記遊技機設置島に設置された前記遊技機から送出された音声信号が前記仲介基板経由で前記イヤホンジャックに与えられる
ことを特徴とする遊技場設備。
【請求項２】
前記仲介基板は呼出ランプ装置に組み込まれていることを特徴とする請求項１に記載の遊技場設備。
【請求項３】
前記呼出ランプ装置は、
店内放送信号を受信する受信手段と、
前記受信した店内放送信号に基づく音声信号を前記仲介基板経由で前記イヤホンジャックに与える
送出手段と
を備えていることを特徴とする請求項２に記載の遊技場設備。
【発明の詳細な説明】
【技術分野】
【０００１】
本発明は遊技機設置島に配備される遊技場設備に関する。
【背景技術】
【０００２】
パチンコ機等の遊技機には、効果音を発するためのスピーカと、このスピーカを鳴動させるための音声信号を生成する音声制御装置とが装備されている。
一方、遊技店には店内放送設備が備わっていて、この店内放送設備を用いた店内放送にて各種の音声案内やＢＧＭを流している。店内放送はパチンコ機等が発する効果音や機械音に勝るべく大音量で流れるため、遊技機から流れる効果音を明確に聞き取るのが難しいことがある。
【０００３】
この問題を解決するために、遊技機の前枠等にイヤホンジャックを設けて上述のスピーカを鳴動させるための音声信号をイヤホンジャックに与える遊技機が提案された。
【先行技術文献】
【特許文献】
【０００４】
【特許文献１】特開平８−１５０２５５号公報
【特許文献２】特開２００２−３５２２９公報
【発明の概要】
【発明が解決しようとする課題】
【０００５】
しかしながら、特許文献１、２のように遊技機にイヤホンジャックを設けた構成であると、イヤホンジャック又はこれにつながる信号線を悪用して不正行為が行われるおそれがある。
【０００６】
本発明は、イヤホンジャックにつないだヘッドホン等で遊技機の効果音を明確に聞き取ることを可能にした上で、そのイヤホンジャック等を悪用しての不正行為に対する耐性を高めることを目的としている。
【課題を解決するための手段】
【０００７】
請求項１に記載の遊技場設備は、
遊技機設置島に配備されて遊技機の外部接続端子基板に接続される仲介基板と、
前記遊技機設置島に配備されて前記仲介基板に接続されたイヤホンジャックとからなり、
前記遊技機設置島に設置された前記遊技機から送出された音声信号が前記仲介基板経由で前記イヤホンジャックに与えられる
ことを特徴とする。
【０００８】
請求項１に記載の遊技場設備では、遊技機設置島に仲介基板とイヤホンジャックとが配備されて、イヤホンジャックは仲介基板に接続される。この仲介基板とイヤホンジャックの組は遊技機１台につき１組の対応で配備される。
【０００９】
そして、仲介基板は対応の遊技機に接続され、遊技機から送出された音声信号が仲介基板に入力される。その音声信号が仲介基板経由でイヤホンジャックに与えられるので、イヤホンジャックにプラグを差し込んだヘッドホン、イヤホン等を用いて遊技機の効果音を明確に聞くことができる。
【００１０】
遊技機には、入賞の発生、図柄変動の開始、大当たり発生等を示す信号を遊技場の管理装置（ホールコンピュータ）に送出するための接続端子を備えた外部接続端子基板が装備されているのが普通であるから、この外部接続端子基板から音声信号を送出するように構成して、仲介基板は対応の遊技機の外部接続端子基板に接続するのが好ましい。
【００１１】
外部接続端子基板の入出力には一方向通信が採用されているのが普通で、仲介基板側から外部接続端子基板への送信も、外部接続端子基板から遊技機内の信号出力元への送信もできない。そのため、イヤホンジャック又はこれにつながる信号線を悪用して遊技機に不正行為を仕掛けるのは難しく、そのような不正行為に対する耐性は高い。
【００１２】
なお、既存の外部接続端子基板を使用するのではなく、音声信号を送出するための基板を新設して、これに仲介基板を接続してもよい。その場合も外部接続端子基板と同様に一方向通信にすれば、同様に不正行為に対する耐性が高いものになる。
【００１３】
請求項２に記載の遊技場設備は、前記仲介基板は呼出ランプ装置に組み込まれていることを特徴とする請求項１に記載の遊技場設備である。
遊技場には、遊技機のトラブル等で遊技者が店員を呼出したい場合に備え、遊技者によるスイッチ操作に応じて点灯するランプを備えた呼出ランプ装置が、各遊技機と１対１の対応で設置されている。呼出ランプ装置（普通は、単に「呼出ランプ」と呼ばれる。）は、遊技者による店員の呼出以外にも例えば大当たりの発生等、対応する遊技機の遊技状態に応じて点灯、点滅を行う演出表示を行ったり、図柄変動の回数や大当たりの発生回数等の遊技データを表示したりもするので実態は情報表示装置とも言えるが、旧来の慣習で「呼出ランプ」と呼ばれている。
【００１４】
そして、呼出ランプ装置は、入賞の発生、図柄変動の開始、大当たり発生等を示す信号を得るために遊技機の外部接続端子基板に接続されるのが普通であるから、仲介基板を呼出ランプ装置に組み込めば、遊技機と仲介基板とを結ぶ配線を新設する必要はない。
【００１５】
また呼出ランプ装置は、遊技場の管理装置（ホールコンピュータ）とつながれるから、その配線を利用して店内放送信号を呼出ランプ装置に入力し、その店内放送信号に基づく音声信号を仲介基板経由でイヤホンジャックに与えれば、火災などの緊急時に、ヘッドホンを使用している遊技者に対しても店内放送で火災警報等を報知できる。なお、店内放送信号を無線で呼出ランプ装置に送信する構成にすることもできる。
【００１６】
請求項３に記載の遊技場設備は、前記呼出ランプ装置は、店内放送信号を受信する受信手段と、前記受信した店内放送信号に基づく音声信号を前記仲介基板経由で前記イヤホンジャックに与える送出手段とを備えていることを特徴とする請求項２に記載の遊技場設備であるから、ヘッドホンを使用している遊技者に対しても上述のように火災警報等を報知できる。
【図面の簡単な説明】
【００１７】
【図１】遊技場の設備の説明図。
【図２】パチンコ機の電気的な構成を説明するブロック図。
【図３】音声制御装置の構成を説明するブロック図。
【図４】呼出ランプ装置の構成を説明するブロック図。
【発明を実施するための形態】
【００１８】
図１に示すように、遊技機設置島１０には、遊技機であるパチンコ機２０が複数台設置されている。パチンコ機２０の構成は（後述する音声信号の送出に関わる部分は別として）、公知技術に従っている。各パチンコ機２０の左側には台間貸出機２２（又はＣＲユニット）が１台ずつ配されている。台間貸出機２２にはイヤホンジャック２３が設けられている。また各パチンコ機２０には呼出ランプ装置３０が１台ずつ接続されており、各呼出ランプ装置３０はＬＡＮ３１によってホールコンピュータ３２に接続されている。
【００１９】
図２に示すように、パチンコ機２０は、主制御装置４１、払出制御装置４２、発射制御装置４３、音声制御装置４４、ランプ制御装置４５及び画像制御装置４６を備えている。詳細の図示は省略するが、これらの制御装置はいずれもＣＰＵ、ＲＯＭ、ＲＡＭ、入力ポート、出力ポート等を備えている。また、主制御装置４１には各種の抽選や選択に使用する乱数カウンタ（複数）が備わっている。
【００２０】
主制御装置４１には、下球皿が満杯状態になったことを検出する満タンスイッチ、球タンクが空状態になったことを検出する玉切れスイッチ、大入賞口への入賞球を検出するカウントスイッチ（カウントＳＷ）、普通入賞口への入賞球を検出する賞球払い出しスイッチ（賞球払い出しＳＷ）、始動入賞口への入賞球を検出する始動口スイッチ等の検出信号が入力される。
【００２１】
主制御装置４１は搭載しているプログラムに従って動作して、上述の検出信号などに基づいて遊技の進行に関わる各種のコマンドを生成し、払出制御装置４２、発射制御装置４３、音声制御装置４４、ランプ制御装置４５、画像制御装置４６に出力したり、始動入賞口となる可変入賞装置を開閉する普通役物ソレノイド、大入賞口を開閉する大入賞口ソレノイドの動作を制御する。また、主制御装置４１はアウト球発生、入賞球発生、図柄変動中、大当たり中、高確率中などを示す各種の信号を外部接続端子基板４７に出力する。
【００２２】
払出制御装置４２は、主制御装置４１から送られてくるコマンドに応じて賞球装置の賞球モータを稼働させて賞球を払い出させる。また、パチンコ機２０がＣＲ機であるときは、払出制御装置４２は、ＣＲ精算表示装置の貸出ボタン及び精算ボタンの信号を受け付け、プリペイドカードユニット（ＣＲユニット）とデータを送受し、貸出ボタンの貸出要求信号に応じて払出装置の球貸ソレノイドを稼働させて貸球を払い出させ、ＣＲ精算表示装置の残高表示部の残高表示を制御する。
【００２３】
発射制御装置４３は、主制御装置４１から送られてくるコマンド、発射ハンドルに遊技者が接触（操作）していることを検出するタッチスイッチの信号、発射ハンドルの回動信号及び発射停止スイッチの信号に基づいて発射モータを制御することで遊技球の発射及び停止を制御する。
【００２４】
音声制御装置４４は、主制御装置４１から送られてくるコマンドに応じて音声信号を生成し、その音声信号にてスピーカ４８を駆動して音声を出力する。なお、音声信号は外部接続端子基板４７へも送出される。
【００２５】
ランプ制御装置４５は、主制御装置４１から送られてくるコマンドに応じて保留表示器及び普通図柄表示器の表示を制御するほか、他の各種ＬＥＤや各種ランプの点灯、消灯等を制御する。
【００２６】
画像制御装置４６は、主制御装置４１から送られてくるコマンドに応じて図柄表示装置４９の表示を制御する。
図３に示すように、音声制御装置４４は、音声制御用マイコン５１（ＣＰＵ、ＲＯＭ、ＲＡＭを内蔵するワンチップマイコンである。）、音声合成のための音データを格納したデータＲＯＭ５２、音声制御用マイコン５１からの制御指令に応じてデータＲＯＭ５２から音データを取得して音声合成を行って音声信号を出力する音源ＩＣ５３、音声信号を増幅してスピーカ４８に出力するためのアンプ５４等によって構成されている。
【００２７】
音声制御装置４４においては、音声制御用マイコン５１が制御指令（制御用コマンド）を音源ＩＣ５３に与えることで、音源ＩＣ５３が与えられた指令に応じてデータＲＯＭ５２の音データをシーケンス機能で読み出し、メロディ（ＢＧＭ等）を奏でたり、例えば、「ラッキー」等の言葉や衝撃音等の擬音などの効果音の音声信号を生成し、その音声信号をアンプ５４にて増幅してスピーカ４８を鳴動させる。これにより、前述の効果音がスピーカ４８から出力される。
【００２８】
なお、アンプ５４は外部接続端子基板４７にも接続されていて、音声信号は外部接続端子基板４７へも送出される。
図４に示すように、呼出ランプ装置３０は、ＣＰＵ、ＲＯＭ及びＲＡＭなどで構成されたマイクロコンピュータである制御部６１を備えている。制御部６１には送受信部６２、呼出スイッチ６３ａ、表示切換スイッチ６３ｂ、呼出ランプ６４、データ表示器６５が接続されている。
【００２９】
通信回路である送受信部６２はパチンコ機２０（外部接続端子基板４７）及びホールコンピュータ３２に接続され、台間貸出機２２のイヤホンジャック２３とも結ばれている。なお、送受信部６２と制御部６１及びホールコンピュータ３２とは双方向に通信可能であるが、送受信部６２と外部接続端子基板４７とは外部接続端子基板４７から送受信部６２への送信のみが可能な一方向通信に、送受信部６２とイヤホンジャック２３とは送受信部６２からの送信のみが可能な一方向通信に構成されている。送受信部６２は（送受信部６２が設けられている配線基板は）、仲介基板に該当する。
【００３０】
送受信部６２は、主制御装置４１から外部接続端子基板４７に出力された図柄変動中や大当たり中などを示す各種の信号及び音声制御装置４４から外部接続端子基板４７に出力された音声信号を受信し、主制御装置４１から出力された各種の信号は制御部６１及びホールコンピュータ３２に送信するが、音声信号はイヤホンジャック２３のみに送信して制御部６１及びホールコンピュータ３２には送信しない。
【００３１】
本実施形態においては、音声制御装置４４から外部接続端子基板４７への音声信号用の信号線及び外部接続端子基板４７から送受信部６２への音声信号用の信号線は主制御装置４１から外部接続端子基板４７を経て送受信部６２に至る信号経路とは別配線とされ、また送受信部６２からイヤホンジャック２３への音声信号用の信号線は、送受信部６２と制御部６１及びホールコンピュータ３２との信号経路とは別配線とされている。つまり、音声制御装置４４から外部接続端子基板４７及び送受信部６２を経てイヤホンジャック２３に至る音声信号用の信号線は、他の配線と結ばれてはおらず、音声信号が他の信号経路に流れ込むことも、他の信号が音声信号用の信号線に流れ込むこともない。こうした構成であるので、音声制御装置４４から出力された音声信号は、スピーカ４８以外ではイヤホンジャック２３のみに与えられる。
【００３２】
また、送受信部６２は制御部６１とホールコンピュータ３２間の通信（信号の送受）も行う。すなわち、呼出ランプ装置３０とホールコンピュータ３２との間での信号やデータの送受は、送受信部６２を通じて行われる。
【００３３】
制御部６１は、パチンコ機２０から取得した信号に基づくデータ及びホールコンピュータ３２から提供されたデータに基づいてデータ表示器６５の表示を制御する。表示切換スイッチ６３ｂはデータ表示器６５に表示させる情報の切換えを指示するためのスイッチで、これが遊技者（ときには店員）によって操作されると、制御部６１は、データ表示器６５に表示させる情報を該操作に応じた内容に切換える。
【００３４】
呼出ボタン６３ａは呼出ランプ６４を点灯、消灯させるためのスイッチであり、制御部６１は呼出ボタン６３ａがオン操作されると呼出ランプ６４を点灯し、オフ操作されると呼出ランプ６４を消灯する。
【００３５】
上記の遊技場設備にあっては、遊技機設置島１０に配備されてパチンコ機２０（遊技機）の外部接続端子基板４７に接続される送受信部６２（仲介基板）と、遊技機設置島１０に配備されて送受信部６２（仲介基板）に接続されたイヤホンジャック２３とが備わり、遊技機設置島１０に設置されたパチンコ機２０（遊技機）から送出された音声信号が送受信部６２（仲介基板）経由でイヤホンジャック２３に与えられる構成になっている。
【００３６】
つまり、パチンコ機２０（遊技機）から送出された音声信号が送受信部６２（仲介基板）経由でイヤホンジャック２３に与えられるので、イヤホンジャック２３にプラグを差し込んだヘッドホン、イヤホン等を用いてパチンコ機２０（遊技機）の効果音を明確に聞くことができる。
【００３７】
外部接続端子基板４７の入出力には一方向通信が採用されていて、送受信部６２（仲介基板）側から外部接続端子基板４７への送信も、外部接続端子基板４７から主制御装置４１及び音声制御装置４４への送信もできない。そのため、イヤホンジャック２３又はこれにつながる信号線を悪用してパチンコ機２０（遊技機）に不正行為を仕掛けるのは難しく、そのような不正行為に対する耐性は高い。
【００３８】
また、呼出ランプ装置３０に組み込まれている送受信部６２を仲介基板としているので、パチンコ機２０（遊技機）と仲介基板とを結ぶ配線を新設する必要はない。
また呼出ランプ装置３０は、ホールコンピュータ３２とつながれるから、その配線を利用して店内放送信号を呼出ランプ装置３０に入力し、その店内放送信号に基づく音声信号を送受信部６２（仲介基板）経由でイヤホンジャック２３に与えれば、火災などの緊急時に、ヘッドホンを使用している遊技者に対しても店内放送で火災警報等を報知できる。なお、店内放送信号を無線で呼出ランプ装置３０に送信する構成にすることもできる。
【符号の説明】
【００３９】
１０・・・遊技機設置島、
２０・・・パチンコ機、
２２・・・台間貸出機、
２３・・・イヤホンジャック、
３０・・・呼出ランプ装置、
３２・・・ホールコンピュータ、
４１・・・主制御装置、
４２・・・払出制御装置、
４３・・・発射制御装置、
４４・・・音声制御装置、
４５・・・ランプ制御装置、
４６・・・画像制御装置、
４７・・・外部接続端子基板、
４８・・・スピーカ、
５１・・・音声制御用マイコン、
５３・・・音源ＩＣ、
５２・・・データＲＯＭ、
５４・・・アンプ、
６１・・・制御部、
６２・・・送受信部（仲介基板）、
６４・・・呼出ランプ、
６５・・・データ表示器。
【図２】
2011030838.tif 000003
【図３】
2011030838.tif 000004
【図４】
2011030838.tif 000005
【図１】
2011030838.tif 000006